【事件の表示】
　特願２００７−　１４２９７「画像形成装置」拒絶査定不服審判事件〔平成１９年　８月　９日出願公開、特開２００７−１９９７１９〕について、次のとおり審決する。
【結　論】
　本件審判の請求は、成り立たない。
【理　由】
第１　手続の経緯　
　本願は、平成１９年１月２４日（パリ条約による優先権主張、２００６年１月２４日、韓国、２００６年２月７日、韓国、２００６年２月１０日、韓国、２００６年２月２４日、韓国、２００６年３月１４日、韓国）の出願であって、平成２３年１０月１１日付けで手続補正がなされ、平成２４年２月２３日付けで拒絶査定がなされ、これに対して、同年６月２８日に拒絶査定不服審判が請求されると同時に手続補正がなされたものである。
　なお、請求人は、当審における平成２４年９月２１日付け審尋に対して平成２５年２月２５日に回答書を提出している。
　
第２　平成２４年６月２８日付け手続補正についての補正却下の決定
　
〔補正却下の決定の結論〕
　平成２４年６月２８日付け手続補正を却下する。
　
〔理由〕
１　本件補正の内容
　平成２４年６月２８日付け手続補正（以下「本件補正」という。）は、特許請求の範囲及び発明の詳細な説明についてするもので、本件補正前の請求項１及び段落【００１３】に記載されていた「加熱部のウォームアップ期間」が、「第１ウォームアップステージ及び第２ウォームアップステージ」に加えて「第３ウォームアップステージ」も含むとする補正を含むものである。
　
２　新規事項の追加について
　本願明細書及び図面には、「発熱抵抗に流れるローラ電流３２０の波形図は、図３に示されているように、フリッカー特性改善区間３１０、最大電力供給区間３１２及び定着区間３１４の三つの区間に区分されうる。」（【００５９】）との記載があり、請求人は、この記載を上記１の補正の根拠とした上で、「第３ウォームアップステージ」は「定着区間３１４」に対応する旨説明している（審判請求書の【請求の理由】３．（３）補正の根拠）。
　しかし、定着区間３１４は、電源供給部２１０及びトナー定着部２３０が定着指示信号に応じて動作する区間であり、電源供給部２１０は、温度維持レベルを最大レベルとして有するソース電力を、ローラ電力として発熱抵抗に供給し、トナー定着部２３０は、その温度維持レベルを最大レベルとして有するソース電力がローラ電力として供給される加熱ローラを利用してトナー画像を印刷媒体上に定着する期間であって（本願明細書の【００６６】の記載参照。）、定着区間３１４に該当するステップ４３０は、画像形成装置が印刷を指示され、ローラ電力が正常に供給されると判断された場合に限って行われ（本願明細書の【００８０】、【００８１】の記載参照。）、温度維持レベルを最大レベルとして有するソース電力をローラ電力として発熱抵抗に供給し、トナー画像を定着するステップ（加熱ローラに含まれた複数の発熱抵抗のうち、一つ以上の発熱抵抗を選択するステップ１０１０、選択された発熱抵抗に対し、温度維持レベルを最大レベルとして有するソース電力をローラ電力として供給するステップ１０２０、トナー画像を印刷媒体上に加熱ローラ及び加圧ローラを利用して定着するステップ１０３０）からなる（本願明細書の【０１０４】〜【０１０７】の記載参照。）から、定着区間３１４は、トナー画像を印刷媒体上に定着する期間であって、加熱部のウォームアップ期間には含まれない。
　したがって、本件補正は、願書に最初に添付した明細書、特許請求の範囲及び図面のすべての記載を総合することにより導かれる技術的事項との関係において、新たな技術的事項を導入しないものではないから、本件補正は、平成１８年法律第５５号改正附則第３条第１項によりなお従前の例によるとされる同法による改正前の特許法第１７条の２第３項の規定に違反する。
　
３　小括
　本件補正は、上記２のとおり、平成１８年法律第５５号改正附則第３条第１項によりなお従前の例によるとされる同法による改正前の特許法第１７条の２第３項の規定に違反するので、同法第１５９条第１項において読み替えて準用する同法第５３条第１項の規定により却下すべきものである。
　
第３　本願発明について
１　本願発明
　本件補正は上記のとおり却下されたので、本願の請求項１ないし６に係る発明は、平成２３年１０月１１日付けで補正された特許請求の範囲の請求項１ないし６に記載された事項によって特定されるものであるところ、請求項１に係る発明は、平成２３年１０月１１日付け手続補正後の明細書、特許請求の範囲及び図面の記載からみて、その特許請求の範囲の請求項１の記載のうち、請求項１の「供給し始まる」及び「．」は、それぞれ、「供給され始める」及び「。」の明らかな誤記であるので、該誤記を訂正した次のものであると認める（下線は審決で付した。以下同じ）。
　
「画像形成装置であって、
　加熱ランプを含む加熱部を利用して、印刷媒体にトナー画像を定着させる定着部を含むプリンティング部と、
　ソース電源を受けて前記プリンティング部に電力を供給する電源供給部と、
　前記加熱部の表面温度を測定し、測定された表面温度を表す信号を出力する温度測定部と、を含み、
　前記電源供給部は、第１ウォームアップステージ及び第２ウォームアップステージを含む前記加熱部のウォームアップ期間の間、前記加熱ランプに供給される電力のレベルを制御し、
　前記加熱ランプに電力が供給
され
め
　前記第２ウォームアップステージの間には、前記電源供給部は前記加熱部の表面温度が目標温度に到達するまで前記加熱ランプに供給される電力のレベルを前記既に設定された供給レベルに維持することを特徴とする画像形成装置
。
　
２　刊行物の記載事項
　原査定の拒絶の理由に引用された「本願の出願前に頒布された刊行物である特開平５−２２４５５９号公報（以下「引用例」という。）」には、図とともに以下の事項が記載されている。
（１）「【０００１】
【産業上の利用分野】本発明はレーザプリンタ等の電子写真式プリンタにおける定着温度制御装置に関する。
【０００２】
【従来の技術】図５を参照すると、
レーザプリンタ
帯電コロトロン１２で帯電され
メカ制御ユニット１９から送られてきた画像信号を受信したレーザ光学ヘッド１１は、この画像信号に応じてレーザ光１１１を出力することにより、感光体ドラム２０上に静電潜像を形成させる。この感光体ドラム２０上の静電潜像を現像器１３で現像するとトナー像が得ら
記録紙カセット１７から記録用紙２１が取り出され、感光体ドラム２０上のトナー像は転写コロトロン１４により記録用紙２１に転写される。定着器１６が記録用紙２１にトナー像を定着するように、そのヒートローラ１６１は１６０〜１８０℃程度に加熱され、圧接ローラー１６２と協動して記録用紙２１を送り出す
【０００３】図５における定着器１６の電気的構成を示す図６を参照すると、
定着器１６はサーミスタ２３、ヒーター２４及び温度検出器２５を備え
この定着器１６に接続される制御部２８はスイッチ素子２６及び制御回路２７から構成され、
メカ制御ユニット１９の一部を成す
定着器１６に接続される電源部２２は交流電源２２１及びヒューズ２２２から構成されて
サーミスタ２３と電気的に直列に接続されているハロゲンランプ等から成るヒーター２４への電源投入時の交流電源２２１からの突入電流は、ヒーター２４の抵抗値が小さくても、温度が低いときのサーミスタ２３自体の抵抗値によって小さく抑えられる。この小さい電流値によって徐々にサーミスタ２３の温度とヒーター２４の温度とが上昇する。温度上昇とともにサーミスタ２３の抵抗値が減少する一方、ヒーター２４の抵抗値は増加し、徐々に電流が定格電流に近づいて行く。この時、サーミスタ２３は数オーム程度の抵抗値から温度が上昇することにより抵抗値が下がり、１オーム以下になる。この結果、ヒーター２４に流れる電流が一定になる段階では、サーミスタ２３自体の抵抗値はヒーター回路としての負荷にはならなくなる。温度検出器２５がヒーター２４の温度を検出して制御回路２７を動作させると、制御回路２７はヒーター２４を定着可能温度（１８０℃程度）に設定するためにスイッチ素子２６を駆動する
【０００４】
【発明が解決しようとする課題】この従来の定着器１６におけるサーミスタ２３は、交流電流を流すことにより自己発熱して抵抗値を下げるため、電源投入後直ちに十分低い抵抗値に落ちない。従って、負荷の関係上、このサーミタ２３として使えるものは常温で１オーム程度の低い抵抗値を有するものに限られる。また、突入電流の下限は４０〜５０Ａ程度どまりであり、この
突入電流に耐えうる回路素子（スイッチ素子２６等）を制御部２８に適用しなければならない。また、このサーミスタ２３はこの突入電流に耐えられる高価な高耐圧のものを使用しなければならない
【０００５】
【課題を解決するための手段】本発明の電子写真式プリンタにおける定着温度制御装置は、
定着用ヒーターに印加される交流電圧のゼロ交叉点を検出する第１の手段と、前記定着用ヒーターの電源投入時に前記交流電圧の半サイクルごとの前記ゼロ交叉点からの特定時間前記定着用ヒーターに通電させる第２の手段とを備え
【０００６】
【実施例】次に、本発明の実施例について図面を参照して説明する。
【０００７】図１は本発明の電子写真式プリンタにおける定着温度制御装置の一実施例を示すブロック図である。図２は図１に示す交流電源１及びヒューズ２から成る電源部８から供給される交流電圧を加えた直後に定着器９のヒーター３に流れるヒーター電流ｉ（ｔ）を交流電圧とともに示す。図２において、破線で示した電流変化は無制御状態の電流を示し、ハッチングで示した部分はこの実施例の制御による電流変化を示す。無制御状態のヒーター３に流れるヒーター電流ｉ（ｔ）は、ヒーター３の温度上昇に伴ってヒーター３の抵抗値が増加するため、小さくなり定格電流振幅値±Ｉｏに落着く。ハッチングで示した
ヒーター通電時間Ｔｎ（ｎは０を含んだ正整数）は所定定着温度でのヒーター３の定格電流振幅値±Ｉｏになるまでの電圧ゼロ交叉点からの時間
制御部１０内の制御回路６に含まれるマイクロコンピュータ（マイコン）６１の制御プログラムに設定する
ヒーター３の電圧値がゼロになった時に発生するゼロ交叉検出回路７からの割り込みがマイコン６１に与えられるたびに、ヒーター通電時間Ｔｎがマイコン６１から読み出され、制御回路６はスイッチ素子５をＴｎ時間だけ閉じてヒーター３に通電する
ゼロ交叉検出回路７から再び割り込みがマイコン６に与えられ、前述と同じ動作が行なわれる
【０００８】次に、図３及び図４を参照してヒーター通電時間Ｔｎの求め方を説明する。ヒーター３の抵抗値Ｒｈ（ｔ）は無制御状態では、図３に示すように、電源投入時からヒーター３の温度上昇に伴って増加し、所定定着温度に達すると抵抗値Ｒｈ０になる。この曲線から時刻ｔｎ（ｎは０を含んだ正整数）のヒーター抵抗値Ｒｈ（ｔｎ）が求められる。また、図２に示すヒーター電流ｉ（ｔ）の電源投入時からｎ／２個目の半サイクルを近似的に正弦曲線として示す図４を参照し、
ヒーター電流ｉ（ｔ）がＩｏとなるヒーター通電時間Ｔｎ
【０００９】
    Ｔｎ＝（１／２πｆ）ａｒｃｓｉｎ（Ｉｏ・Ｒｈ（ｔｎ）／Ｖｏ）
ここで、Ｔｎ：電源投入後のｎ／２周期目のヒーター通電時間
（ｎは０を含んだ正整数）
ｆ  ：交流電圧の周波数
Ｉｏ：ヒーター３の定着温度時の定格電流振幅値
Ｖｏ：交流電圧の振幅値
Ｒｈ（ｔｎ）：電源投入時から交流電圧が振幅値Ｖｏになる時刻ｔｎ（ｎは０を含んだ正整数）におけるヒーター３の無制御状態時の抵抗値
このようにして、ヒーター３の電源投入時に交流電圧のゼロ交叉点を検出することにより、
ゼロ交叉点からのヒーター通電時間Ｔｎを半サイクルごとに増加させ、ヒーター３に安全なヒーター電流ｉ（ｔ）を徐々に流す
ヒーター電流ｉ（ｔ）が定格電流±Ｉｏになるまで、
ヒーター電流ｉ（ｔ）が定格電流に安定した時には、温度検出器４がヒーター３の温度を検出し、マイコン６１がヒーター温度を判断して制御回路６を動作させる。これにより、制御回路６はヒーター３を定着可能温度（約１８０℃程度）に設定するためにスイッチ素子５を駆動する
【００１０】
【発明の効果】以上説明したように、本発明によれば、
定着用ヒーターに印加される交流電圧のゼロ交叉点を検出し、定着用ヒーターへの電源投入時に交流電圧の半サイクルごとのゼロ交叉点からの特定時間定着用ヒーターに通電させることにより、ヒーターに電源を投入した時の突入電流は小さく抑えられる。この結果、定着器の制御部にはヒーターの定格電流に近いスイッチ素子が使用でき、制御部を小型化することができ
制御部には従来使用していた高耐圧サーミスタなどの高価な部品を使用する必要がなく、低価格化が可能になる
　
（２）上記（１）から、引用例には、
「レーザ光学ヘッドがメカ制御ユニットから送られてきた画像信号を受信し、この画像信号に応じてレーザ光を出力することにより、帯電コロトロンで帯電された感光体ドラム上に静電潜像を形成し、この感光体ドラム上の静電潜像を現像器で現像して得たトナー像を、記録紙カセットから取り出された記録用紙に転写コロトロンにより転写し、定着器のヒートローラを１６０〜１８０℃程度に加熱し、圧接ローラーと協動して、このトナー像を記録用紙に定着して送り出すレーザプリンタであって、
　前記定着器は、サーミスタ、ヒーター及び温度検出器を備え、
　前記ヒーターはハロゲンランプから成り、
　前記定着器に接続される制御部は、スイッチ素子及び制御回路から構成されて、前記メカ制御ユニットの一部を成しており、
　前記定着器に接続される電源部は、交流電源及びヒューズから構成されており、
　前記サーミスタと電気的に直列に接続されている前記ヒーターへの電源投入時の交流電源からの突入電流は、ヒーターの抵抗値が小さくても、温度が低いときのサーミスタ自体の抵抗値によって小さく抑えられ、この小さい電流値によって徐々にサーミスタの温度とヒーターの温度とが上昇すると、温度上昇とともにサーミスタの抵抗値が減少する一方、ヒーターの抵抗値は増加し、徐々に電流が定格電流に近づいて行き、この時、サーミスタは数オーム程度の抵抗値から温度が上昇することにより抵抗値が下がり、１オーム以下になる結果、ヒーターに流れる電流が一定になる段階では、サーミスタ自体の抵抗値はヒーター回路としての負荷にはならなくなり、温度検出器がヒーターの温度を検出して前記制御回路を動作させると、前記制御回路はヒーターを１８０℃程度の定着可能温度に設定するためにスイッチ素子を駆動するようになっている従来のレーザプリンタにおいて、
　従来のレーザプリンタでは、前記制御部に適用するスイッチ素子等の回路素子は突入電流に耐えうるものにしなければならならず、前記サーミスタも突入電流に耐えられる高価な高耐圧のものを使用しなければならないので、
　定着器の前記制御部に、従来使用していた高耐圧サーミスタなどの高価な部品を使用せず、定着用ヒーターに印加される交流電圧のゼロ交叉点を検出する第１の手段と、前記定着用ヒーターの電源投入時に前記交流電圧の半サイクルごとの前記ゼロ交叉点からの特定時間前記定着用ヒーターに通電させる第２の手段とを備えて、定着用ヒーターに印加される交流電圧のゼロ交叉点を検出し、定着用ヒーターへの電源投入時に交流電圧の半サイクルごとのゼロ交叉点からの特定時間定着用ヒーターに通電させることにより、ヒーターに電源投入した時の突入電流を小さく抑え、前記制御部にヒーターの定格電流に近いスイッチ素子を使用でき、制御部を小型化することができ、低価格化を可能にしたレーザプリンタであって、
　前記制御部内の前記制御回路に含まれるマイクロコンピュータの制御プログラムに、所定定着温度での電圧ゼロ交叉点から前記ヒーターの定格電流振幅値±Ｉｏになるまでの時間として予め求めたヒーター通電時間Ｔｎ（ｎは０を含んだ正整数）を設定し、
　前記ヒーターの電圧値がゼロになった時に発生するゼロ交叉検出回路からの割り込みがマイクロコンピュータに与えられるたびに、ヒーター通電時間Ｔｎを読み出し、前記制御回路がスイッチ素子をＴｎ時間だけ閉じてヒーターに通電し、ゼロ交叉点からのヒーター通電時間Ｔｎを半サイクルごとに増加させ、ヒーターに安全なヒーター電流ｉ（ｔ）を徐々に流す動作を、ヒーター電流ｉ（ｔ）が定格電流±Ｉｏになるまで繰り返し、
　ヒーター電流ｉ（ｔ）が定格電流に安定した時には、温度検出器がヒーターの温度を検出し、マイクロコンピュータがヒーター温度を判断して前記制御回路を動作させることにより、前記制御回路がヒーターを約１８０℃程度の定着可能温度に設定するためにスイッチ素子を駆動するようにした、
　レーザプリンタ。」の発明（以下「引用発明」という。）が記載されているものと認められる。
　
３　対比・判断
　本願発明と引用発明を対比する。
（１）引用発明の「レーザプリンタ」、「ハロゲンランプ」、「ヒーター」、「記録用紙」、「トナー像」、「定着」、「定着器」、「『交流電源及びヒューズから構成』され、『定着器に接続される電源部』から『定着用ヒーターに印加される交流電圧』」、「レーザ光学ヘッド、帯電コロトロン、感光体ドラム、現像器、記録紙カセット、転写コロトロン、定着器等」、「電源投入」、「『スイッチ素子及び制御回路から構成』され、『定着器に接続される制御部』」、「ヒーターの温度を検出して前記制御回路を動作させる」及び「温度検出器」は、それぞれ、本願発明の「画像形成装置」、「加熱ランプ」、「加熱部」、「印刷媒体」、「トナー画像」、「定着」、「定着部」、「ソース電源」、「プリンティング部」、「電力を供給」、「電源供給部」、「加熱部の表面温度を測定し、測定された表面温度を表す信号を出力する」及び「温度測定部」に相当する。
　
（２）引用発明の「プリンティング部」は、レーザ光学ヘッド、帯電コロトロン、感光体ドラム、現像器、記録紙カセット、転写コロトロン、「定着部（定着器）」等からなっており、レーザ光学ヘッドがメカ制御ユニットから送られてきた画像信号を受信し、この画像信号に応じてレーザ光を出力することにより、帯電コロトロンで帯電された感光体ドラム上に静電潜像を形成し、この感光体ドラム上の静電潜像を現像器で現像して得た「トナー画像（トナー像）」を、記録紙カセットから取り出された「印刷媒体（記録用紙）」に転写コロトロンにより転写し、「定着部」のヒートローラを１６０〜１８０℃程度に加熱し、圧接ローラーと協動して、この「トナー画像」を「印刷媒体」に「定着」して送り出すものであり、引用発明の「定着部」は、サーミスタ、「加熱部（ヒーター）」及び「温度測定部（温度検出器）」を備え、引用発明の「加熱部」は、「加熱ランプ（ハロゲンランプ）」から成っているから、引用発明の「プリンティング部」と本願発明の「プリンティング部」とは、「加熱ランプを含む加熱部を利用して、印刷媒体にトナー画像を定着させる定着部を含む」点で一致する。
　
（３）引用発明の「電源供給部（スイッチ素子及び制御回路から構成され、定着器に接続される制御部）」は、「定着」用「加熱部（ヒーター）」へ「電力を供給する（の電源投入）」時に「ソース電源（交流電圧）」の半サイクルごとのゼロ交叉点からの特定時間「定着」用「加熱部」に通電させ、「加熱部」電流ｉ（ｔ）が定格電流に安定した時には、「加熱部」を約１８０℃程度の「定着」可能温度に設定するものであり、引用発明の「加熱部」は「プリンティング部」を構成する「定着部（定着器）」に備えられているから、引用発明の「電源供給部」と本願発明の「電源供給部」とは「ソース電源を受けてプリンティング部に電力を供給する」点で一致する。
　
（４）引用発明の「温度測定部（温度検出器）」は、ヒーターの温度を検出して制御回路を動作させるものであるから、上記（１）からみて、本願発明の「温度測定部」と、「加熱部の表面温度を測定し、測定された表面温度を表す信号を出力する」点で一致する。
　
（５）引用発明の「画像形成装置（レーザプリンタ）」は、
　「電源供給部（制御部）」に、従来使用していた高耐圧サーミスタなどの高価な部品を使用せず、「加熱部（定着用ヒーター）」に印加される「ソース電源（交流電圧）」のゼロ交叉点を検出する第１の手段と、前記「加熱部」へ「電力を供給する（の電源投入）」時に前記「ソース電源」の半サイクルごとの前記ゼロ交叉点からの特定時間前記「加熱部」に通電させる第２の手段とを備えて、「加熱部」に印加される「ソース電源」のゼロ交叉点を検出し、「加熱部」へ「電力を供給する」時に「ソース電源」の半サイクルごとのゼロ交叉点からの特定時間「加熱部」に通電させるようにしたものであり、
　前記「電源供給部」内の前記制御回路に含まれるマイクロコンピュータの制御プログラムに、所定「定着」温度での電圧ゼロ交叉点から前記「加熱部」の定格電流振幅値±Ｉｏになるまでの時間として予め求めた「加熱部」通電時間Ｔｎ（ｎは０を含んだ正整数）を設定し、
　前記「加熱部」の電圧値がゼロになった時に発生するゼロ交叉検出回路からの割り込みがマイクロコンピュータに与えられるたびに、「加熱部」通電時間Ｔｎを読み出し、前記制御回路がスイッチ素子をＴｎ時間だけ閉じて「加熱部」に通電し、ゼロ交叉点からの「加熱部」通電時間Ｔｎを半サイクルごとに増加させ、「加熱部」に安全な「加熱部」電流ｉ（ｔ）を徐々に流す動作を、「加熱部」電流ｉ（ｔ）が定格電流±Ｉｏになるまで繰り返し、
　「加熱部」電流ｉ（ｔ）が定格電流に安定した時には、「温度測定部（温度検出器）」が「加熱部の表面温度を測定（ヒーターの温度を検出）」し、「測定された表面温度を表す信号」をマイクロコンピュータに「出力」し、マイクロコンピュータが「加熱部」温度を判断して前記制御回路を動作させることにより、前記制御回路が「加熱部」を約１８０℃程度の「定着」可能温度に設定するためにスイッチ素子を駆動するものであるところ、
　上記「加熱部へ電力を供給する」時から「加熱部を約１８０℃程度の定着可能温度に設定する」までの期間は、本願発明の「加熱部のウォームアップ期間」に相当し、そのうち、「加熱部電流ｉ（ｔ）が定格電流に安定した時」までの期間が本願発明の「第１ウォームアップステージ」に相当し、「加熱部電流ｉ（ｔ）が定格電流に安定した時」以降の期間が本願発明の「第２ウォームアップステージ」に相当する。
　そして、引用発明の「電源供給部」は、「第１ウォームアップステージ」の間、「ゼロ交叉点からの加熱部通電時間Ｔｎを半サイクルごとに増加させ、加熱部に安全な加熱部電流ｉ（ｔ）を徐々に流す動作を、加熱部電流ｉ（ｔ）が定格電流±Ｉｏになるまで繰り返し」ているから、本願発明の「電源供給部」と、「前記加熱ランプに電力が供給され始めると、前記第１ウォームアップステージ」の間、「前記ソース電源の交流電流の位相制御を通じて前記加熱ランプに供給される電力のレベルを０から既に設定された供給レベルまで漸進的に増加させ」る点で一致するといえ、
　また、引用発明の「電源供給部」は、「第２ウォームアップステージ」の間には、「加熱部電流ｉ（ｔ）が定格電流に安定」した状態で、「加熱部の表面温度を測定し、測定された表面温度を表す信号を出力し、加熱部温度を判断して、加熱部を約１８０℃程度の定着可能温度に設定」しているから、本願発明の「電源供給部」と、「第２ウォームアップステージの間」には、「加熱部の表面温度が目標温度に到達するまで加熱ランプに供給される電力のレベルを前記既に設定された供給レベルに維持する」点で一致するといえる。
　したがって、引用発明の「画像形成装置」と本願発明の「画像形成装置」とは、「前記電源供給部は、第１ウォームアップステージ及び第２ウォームアップステージを含む前記加熱部のウォームアップ期間の間、前記加熱ランプに供給される電力のレベルを制御し、前記加熱ランプに電力が供給され始めると、前記第１ウォームアップステージの間、前記電源供給部は前記ソース電源の交流電流の位相制御を通じて前記加熱ランプに供給される電力のレベルを０から既に設定された供給レベルまで漸進的に増加させ、前記第２ウォームアップステージの間には、前記電源供給部は前記加熱部の表面温度が目標温度に到達するまで前記加熱ランプに供給される電力のレベルを前記既に設定された供給レベルに維持する」点で一致する。
　
（６）上記（１）ないし（５）から、本願発明と引用発明とは、
「画像形成装置であって、
　加熱ランプを含む加熱部を利用して、印刷媒体にトナー画像を定着させる定着部を含むプリンティング部と、
　ソース電源を受けて前記プリンティング部に電力を供給する電源供給部と、
　前記加熱部の表面温度を測定し、測定された表面温度を表す信号を出力する温度測定部と、を含み、
　前記電源供給部は、第１ウォームアップステージ及び第２ウォームアップステージを含む前記加熱部のウォームアップ期間の間、前記加熱ランプに供給される電力のレベルを制御し、
　前記加熱ランプに電力が供給され始めると、前記第１ウォームアップステージの間、前記電源供給部は前記ソース電源の交流電流の位相制御を通じて前記加熱ランプに供給される電力のレベルを０から既に設定された供給レベルまで漸進的に増加させ、
　前記第２ウォームアップステージの間には、前記電源供給部は前記加熱部の表面温度が目標温度に到達するまで前記加熱ランプに供給される電力のレベルを前記既に設定された供給レベルに維持する、画像形成装置。」である点で一致し、相違するところはない。
　したがって、本願発明は、引用発明と同一の発明であり、引用例に記載された発明であるから、本願の優先日前に頒布された刊行物に記載された発明である。
　
４　むすび 
　本願発明は、上記３のとおり、本願の優先日前に頒布された刊行物に記載された発明であるから、特許法第２９条第１項第３号の規定に該当し特許を受けることができない。
　よって、結論のとおり審決する。